(57)【特許請求の範囲】
【請求項１】
記録媒体に設けられた帯状の磁気ストライプに対する磁気データの読み取り／書き込みを行う磁気ヘッドと、前記磁気ストライプの長手方向に前記磁気ストライプと前記磁気ヘッドとを相対的に摺動させる磁気ヘッド摺動機構と、前記磁気ストライプの幅方向に前記磁気ヘッド又は前記記録媒体を変位させる摺動位置設定機構と、を備え、
前記摺動位置設定機構は、前記磁気ヘッドによる磁気データの読み取り／書き込みを所定回数行う毎に、前記磁気ストライプの幅方向に前記磁気ヘッド又は前記記録媒体を変位させることを特徴とする記録媒体処理装置。
【請求項２】
記録媒体に設けられた帯状の磁気ストライプに対する磁気データの読み取り／書き込みを行う磁気ヘッドと、前記磁気ストライプの長手方向に前記磁気ストライプと前記磁気ヘッドとを相対的に摺動させる磁気ヘッド摺動機構と、前記磁気ストライプの幅方向に前記磁気ヘッド又は前記記録媒体を変位させる摺動位置設定機構と、を備え、
前記摺動位置設定機構は、前記磁気ヘッドによる磁気データの読み取り／書き込みを行う毎に、ランダム又は擬似ランダムに前記磁気ストライプの幅方向に前記磁気ヘッド又は前記記録媒体を変位させることを特徴とする記録媒体処理装置。
【請求項３】
記録媒体取入口から記録媒体処理装置奥側に向かう方向又はその反対方向に前記記録媒体を搬送すると共に、当該搬送方向が前記磁気ストライプの長手方向と直交する記録媒体搬送機構を備え、当該記録媒体搬送機構が前記摺動位置設定機構を兼ねることを特徴とする請求項１又は２に記載の記録媒体処理装置。
【請求項４】
記録媒体取入口から記録媒体処理装置奥側に向かう方向又はその反対方向に前記記録媒体を搬送すると共に、当該搬送方向が前記磁気ストライプの長手方向と同じ記録媒体搬送機構を備え、当該記録媒体搬送機構が前記磁気ヘッド摺動機構を兼ねることを特徴とする請求項１又は２に記載の記録媒体処理装置。
【請求項５】
前記磁気ヘッドによる磁気データの読み取り／書き込み回数情報、前記記録媒体の挿入回数情報、及び、前記記録媒体の挿入の日時情報のうち少なくともいずれか１つの情報に応じて、前記磁気ヘッド又は前記記録媒体の変位を指示する摺動位置変更指示手段を備えることを特徴とする請求項１〜４のいずれかに記載の記録媒体処理装置。
【発明の詳細な説明】
【技術分野】
【０００１】
本発明は、預金通帳又は貯金通帳等のような記録媒体に設けられた磁気ストライプの磁気データを処理する記録媒体処理装置（カードリーダ等）に関し、特に、記録媒体に設けられた磁気ストライプと磁気ヘッドとの相対的な摺動位置を変更することができる記録媒体処理装置に関するものである。
【背景技術】
【０００２】
例えば預金通帳又は貯金通帳に設けられた帯状の磁気ストライプに対する磁気データの読み込み／書き込みを行う記録媒体処理装置（通帳リーダ）では、磁気ヘッドのライトトラック幅よりも、磁気ストライプの幅が狭いシステムが知られている。このようなシステムの場合、磁気ヘッドと磁気ストライプとの相対的な摺動位置を一定に設定して使用し続けていると、磁気ストライプに摺動する磁気ヘッド面は、接触部分のみが摩耗するという現象が生じる。
【０００３】
図６は、従来のシステムでの磁気ヘッドの摩耗状態を示す図である。図６中、（Ａ）は記録媒体８に設けられた磁気ストライプ６の断面図であり、（Ｂ）は磁気ヘッド２２０を磁気ストライプ６に接触する側から見た正面図であり、（Ｃ）は磁気ヘッド２２０の側面図である。図６（Ａ）に示すように、預金通帳や貯金通帳等の通帳である記録媒体８には、通常、厚さ（Ｔ）２０μｍ程度の帯状の磁気ストライプ６が設けられている。図６（Ｂ）に示すように、磁気ヘッド２２０の形状はなだらかな凸形状をしており、磁気ヘッド２２０の中央部には、磁気ストライプ６に情報を書き込むと共に磁気ストライプ６から情報を読み取るヘッドギャップ２２１が存在している。このヘッドギャップ２２１の形成部分が最も突出した部分である。
【０００４】
こうした磁気ヘッド２２０は、ヘッドギャップ２２１の全面で書き込みを行うと共に、ヘッドギャップ２２１の読取部分２２０ａで情報の読み出しを行う「ワイドライト・ナローリード・ヘッド」である。従来のシステムでは、磁気ヘッド２２０と磁気ストライプ６とが常に同じ位置で摺動接触しているので、磁気ヘッド２２０は接触部分のみが選択的に摩耗し、段付きの偏摩耗２１９が発生していた。なお、本願において、「選択的に摩耗」とは、磁気ヘッドと磁気ストライプの所定の位置関係により同じ部位のみが摩耗することをいう。
【発明の開示】
【発明が解決しようとする課題】
【０００５】
上述した磁気ヘッドの偏摩耗により磁気ヘッドの摩耗面と磁気ストライプとの間にスペーシング（隙間）が発生し、その結果、磁気ストライプに対する磁気データの読み込み／書き込み時にデータエラーが発生し易くなるという不具合を生じていた。
【０００６】
特に近年では、磁性体の技術発展に伴い、従来は３００〜６５０エルステッド程度であった磁気ストライプの抗磁力が、２７５０エルステッド程度に向上している。こうした抗磁力の上昇は、外部磁場等による磁気ストライプデータの破壊を防ぐことができるが、磁気データの書き込み時の印加磁場を強くする必要がある。しかしながら、こうした磁気ストライプと磁気ヘッドとが、磁気ヘッドの段付き摩耗や偏摩耗によりスペーシングを生じると、磁気データの書き込みや読み込みが正常に行えないという不具合が発生することがある。
【０００７】
本発明は、上記課題を解決するためになされたものであって、その目的は、磁気ヘッドの段付き摩耗や偏摩耗を防ぎ、磁気ヘッドと磁気ストライプとの間にスペーシングを生じさせない記録媒体処理装置を提供することにある。
【課題を解決するための手段】
【０００８】
上記課題を解決するための本発明の記録媒体処理装置は、記録媒体に設けられた帯状の磁気ストライプに対する磁気データの読み取り／書き込みを行う磁気ヘッドと、前記磁気ストライプの長手方向に前記磁気ストライプと前記磁気ヘッドとを相対的に摺動させる磁気ヘッド摺動機構と、前記磁気ストライプの幅方向に前記磁気ヘッド又は前記記録媒体を変位させる摺動位置設定機構と、を備えることを特徴とする。
【０００９】
この発明によれば、磁気ストライプの幅方向に磁気ヘッド又は記録媒体を変位させる摺動位置設定機構を備えるので、磁気ヘッドと磁気ストライプとが同じ位置で接触することがない。その結果、磁気ヘッドが選択的に摩耗することがなく、より均一な磁気ヘッド摩耗を実現することができる。こうした本発明によれば、磁気ヘッドと磁気ストライプとの間にスペーシングが生じないので、磁気ストライプに対する磁気データの読み込み／書き込み時のデータエラーが発生せず、磁気データの読み込み／書き込みを安定して行うことができる。特に抗磁力の高い磁気ストライプに対しても有効である。
【００１０】
上記本発明の記録媒体処理装置において、前記摺動位置設定機構は、前記磁気ヘッドによる磁気データの読み取り／書き込みを所定回数行う毎に、前記磁気ストライプの幅方向に前記磁気ヘッド又は前記記録媒体を変位させることを特徴とする。
【００１１】
この発明によれば、磁気ヘッド又は記録媒体の変位を、磁気データの読み取り／書き込みを所定回数行う毎に行うので、磁気ヘッドが選択的に摩耗することがなく、より均一な磁気ヘッド摩耗を実現することができる。
【００１２】
また、上記本発明の記録媒体処理装置において、前記摺動位置設定機構は、前記磁気ヘッドによる磁気データの読み取り／書き込みを行う毎に、ランダム又は擬似ランダムに前記磁気ストライプの幅方向に前記磁気ヘッド又は前記記録媒体を変位させることを特徴とする。
【００１３】
この発明によれば、磁気ヘッド又は記録媒体の変位を、磁気データの読み取り／書き込みを行う毎に、ランダム又は擬似ランダムに行うので、磁気ストライブに対する磁気ヘッドの摺動位置が平均的に分散し、磁気ヘッドが選択的に摩耗することがなく、より均一な磁気ヘッド摩耗を実現することができる。
【００１４】
上記本発明の記録媒体処理装置において、（１）記録媒体取入口から記録媒体処理装置奥側に向かう方向又はその反対方向に前記記録媒体を搬送すると共に、当該搬送方向が前記磁気ストライプの長手方向と直交する記録媒体搬送機構を備え、当該記録媒体搬送機構が前記摺動位置設定機構を兼ねるように構成してもよいし、（２）記録媒体取入口から記録媒体処理装置奥側に向かう方向又はその反対方向に前記記録媒体を搬送すると共に、当該搬送方向が前記磁気ストライプの長手方向と同じ記録媒体搬送機構を備え、当該記録媒体搬送機構が前記磁気ヘッド摺動機構を兼ねるように構成してもよい。
【００１５】
この発明のうち、（１）の発明は搬送方向が磁気ストライプの長手方向と直交する場合であり、（２）の発明は搬送方向が磁気ストライプの長手方向と同じ方向である。前者（１）の発明によれば、記録媒体搬送機構が摺動位置設定機構を兼ねるので、記録媒体搬送機構の他に新たに摺動位置設定機構を設けることなく、磁気ヘッドの段付摩耗や偏摩耗を減少させることができる。また、後者（２）の発明によれば、記録媒体搬送機構が磁気ヘッド摺動機構を兼ねるので、記録媒体搬送機構により磁気ストライプと磁気ヘッドとを相対的に摺動させて磁気データの読み取り／書き込み動作を行うことができる。
【００１６】
上記本発明の記録媒体処理装置において、前記磁気ヘッドによる磁気データの読み取り／書き込み回数情報、前記記録媒体の挿入回数情報、及び、前記記録媒体の挿入の日時情報のうち少なくともいずれか１つの情報に応じて、前記磁気ヘッド又は前記記録媒体の変位を指示する摺動位置変更指示手段を備えることを特徴とする。
【００１７】
この発明によれば、磁気ヘッド又は記録媒体の変位を上記各情報に応じて指示する摺動位置変更指示手段を備えるので、バラツキのない均一且つ安定した摩耗を磁気ヘッドに与えることができる。その結果、磁気ヘッドと磁気ストライプとの間にスペーシングが生じないので、磁気ストライプに対する磁気データの読み込み／書き込み時のデータエラーが発生せず、磁気データの読み込み／書き込みを安定して行うことができる。
【発明の効果】
【００１８】
本発明の記録媒体処理装置によれば、磁気ヘッドの段付き摩耗や偏摩耗を防ぎ、磁気ヘッドと磁気ストライプとの間にスペーシングを生じさせない記録媒体処理装置とすることができる。その結果、磁気ヘッドの寿命を格段に伸ばすことができると共に、磁気データの読み取りや書き込みをより確実に行うことができる。また、本発明の記録媒体処理装置によれば、記録媒体搬送機構を摺動位置設定機構又は磁気ヘッド摺動機構と兼用することにより、記録媒体処理装置を小型化できると共に、安価な記録媒体処理装置を提供することができる。
【発明を実施するための最良の形態】
【００１９】
以下、本発明の記録媒体処理装置について図面に基づいて説明する。なお、本発明は以下の実施形態に限定されるものではない。
【００２０】
本発明の記録媒体処理装置は、記録媒体に設けられた帯状の磁気ストライプに対する磁気データの読み取り／書き込みを行う磁気ヘッドと、その磁気ストライプの長手方向に磁気ストライプと磁気ヘッドとを相対的に摺動させる磁気ヘッド摺動機構と、磁気ストライプの幅方向に磁気ヘッド又は記録媒体を変位させる摺動位置設定機構とを備えることに特徴を有するものである。こうした本発明の記録媒体処理装置は、記録媒体取入口から記録媒体処理装置奥側に向かう方向又はその反対方向に記録媒体を搬送する記録媒体搬送機構を備えているが、この記録媒体搬送機構による記録媒体の搬送方向により以下の２つの実施形態に大別される。第１実施形態に係る記録媒体処理装置は、その搬送方向が、帯状の磁気ストライプの長手方向と直交する場合であり、第２実施形態に係る記録媒体処理装置は、その搬送方向が、帯状の磁気ストライプの長手方向と同じ場合である。なお、本願において、「読み取り／書き込み」は、読み取り及び／又は書き込みを意味している。
【００２１】
（第１実施形態）
図１は、本発明の第１実施形態に係る記録媒体処理装置の一例を示す構成図である。この記録媒体処理装置１０は、利用者が預金通帳又は貯金通帳等の記録媒体８を記録媒体取入口１４に挿入すると、その記録媒体８が記録媒体処理装置１０の搬送路１２に沿って磁気データの読み取り／書き込み位置に搬送され、その読み取り／書き込み位置で、記録媒体８に設けられた磁気ストライプ６に記録されている識別情報が読み取られ、金銭の支払い、預け入れ、振り込み、記帳等の処理が行われ、各処理が終了すると記録媒体８が記録媒体取入口１４から排出されて利用者に返却される機能を有するユニットである。この第１実施形態は、記録媒体８の搬送方向が、帯状の磁気ストライプの長手方向と直交する場合の形態である。
【００２２】
記録媒体処理装置１０には、預金通帳又は貯金通帳等のように帯状の磁気ストライプ６を有する記録媒体８が挿入される記録媒体取入口１４と、挿入した記録媒体８を搬送路１２に沿って搬送する搬送ローラ１６と、記録媒体８の存在位置を確認するフォトセンサ１８と、磁気ストライプ６に記録されている識別情報等の磁気データを読み取り／書き込みを行う磁気ヘッド２０と、金銭の収支や残高等の各種情報を図１に現れる面の反対面側から記録媒体８に印刷する印字手段２２とが設けられている。図１中、制御手段９８は、印字ドライバ８６に対して印字する文字情報を出力し、印字ドライバ８６は、制御手段９８から入力した文字情報に基づいた印字用の駆動信号を印字手段２２に出力して預金通帳等の記録媒体８に印字する。なお、この実施形態において、搬送ローラ１６は、摺動位置設定機構及び記録媒体搬送機構として機能する。
【００２３】
記録媒体処理装置１０の記録媒体取入口１４付近には、記録媒体８が挿入されたことを検出する挿入センサ３０が配置され、その挿入センサ３０により利用者が記録媒体８を記録媒体取入口１４に挿入したことが検出され、その検出信号が計数手段８０を介して制御手段９８に伝達される。挿入センサ３０が記録媒体８の挿入を検出して、その検出信号が制御手段９８に伝達されると、制御手段９８は搬送ローラ１６を回転させる搬送信号を送りドライバ８４に出力し、記録媒体８を記録媒体処理装置１０の奥側に搬入する処理を行う。また、各処理が終了して記録媒体８を排出した場合には、挿入センサ３０は利用者により記録媒体８が抜き取られたことを確認する。
【００２４】
この実施形態では、計数手段８０が記録媒体８の挿入回数を計数し、制御手段９８（設定位置変更手段）がその挿入回数に応じて記録媒体８の位置を変更する。例えば図１に示すように、「位置１」、「位置２」、「位置３」のように変更する。これにより、磁気ヘッド２０に対する磁気ストライプ６の設定位置の変更が行われる。こうした設定位置の変更により、変更した各位置で磁気ヘッド２０を摺動させることができるので、磁気ヘッド２０の接触面に段差摩耗や偏摩耗が生じないように、より均一に摩耗させることができる。したがって、読み取り時や書き込み時のスペーシングをなくすことができ、情報の読み取りエラーや書き込みエラーを減少させることができる。また、磁気ヘッド２０を均一に摩耗させることができるので、磁気ヘッド２０の寿命を延ばすことができる。
【００２５】
図１においては、挿入センサ３０に接触式のマイクロスイッチを使用した例を示しているが、非接触式のフォトセンサを用いることもできる。また、挿入センサ３０の設置位置も、図１に示す位置に限定するものではない。
【００２６】
搬送ローラ１６は、摺動位置設定機構及び記録媒体搬送機構として機能し、記録媒体８と接触して記録媒体８を搬送路１２に沿って搬入・排出のための搬送を行うと共に、磁気ヘッド２０に対して磁気ストライプ６を位置決めし、印字手段２２に対して記録媒体８の所定の記入欄を位置決めする。
【００２７】
記録媒体処理装置１０には、制御手段９８から入力した回転速度信号又は位置信号に基づいた駆動信号を送りモータ３４に出力する送りドライバ８４と、送りドライバ８４から入力した駆動信号に基づいて搬送ローラを回転・位置決めする送りモータ３４とが備えられており、制御手段９８の指令に基づいて記録媒体８の送りと位置決めとが制御される。
【００２８】
磁気ヘッド２０は、キャリッジ４０に取り付けられており、磁気ヘッド摺動機構により磁気ストライプ６の長手方向（磁気データ記録方向と同じ。）に摺動可能となっている。磁気ヘッド摺動機構は、キャリッジ４０を磁気ストライプ６の長手方向に案内するガイドバー４２と、キャリッジ４０をガイドバー４２に沿って駆動する送りねじ４４と、ヘッドドライバ８２から入力した駆動信号に基づいて送りねじ４４を回転させる磁気ヘッド駆動モータ４６とから構成されている。
【００２９】
ヘッドドライバ８２は、制御手段９８から入力した回転速度信号又は位置信号に応じて磁気ヘッド駆動モータ４６の駆動信号を出力する。これにより、制御手段９８が出力する回転速度信号又は位置信号に基づいて、磁気ヘッド２０の摺動速度、摺動方向、停止位置等を制御する。
【００３０】
磁気ヘッド２０の入出力端子は、ヘッドアンプ８８の入出力端子と接続されている。磁気ストライプ６への記録信号は、磁気ヘッド２０を磁気ストライプ６の長手方向に摺動する際にヘッドアンプ８８の入出力端子から出力される。そして、その記録信号は、磁気ヘッド２０の入出力端子を経由して磁気ヘッド２０に伝達される。これにより、識別情報等の各種情報を磁気ストライプ６に記録する。
【００３１】
一方、磁気ストライプ６に記録されている識別情報等の情報は、磁気ヘッド２０を磁気ストライプ６の長手方向に摺動させる際に磁気ヘッド２０により読み込まれる。そして、その記録情報は、磁気ヘッド２０の入出力端子を経由してヘッドアンプ８８に伝達される。ヘッドアンプ８８はその情報を増幅し、イコライジング、フィルタリング等の処理を行った後に制御手段９８又は外部に出力する。
【００３２】
図２（Ａ）は、記録媒体８及び磁気ストライプ６の断面を示す図である。預金通帳又は貯金通帳等の記録媒体８には、厚さ（Ｔ）２０μｍ程度の磁気ストライプ６が設けられている。磁気ストライプ６の幅は記録媒体８の種類に応じて異なるので特に限定されないが、例えば６ｍｍ程度の幅を例示できる。
【００３３】
図２（Ｂ）は、磁気ヘッド２０が磁気ストライプ６に接触する側から見た正面図である。磁気ヘッド２０は、その先端がなだらかな凸形状をしており、磁気ヘッド２０の中央部には、磁気ストライプ６に対して情報を書き込むと共に、磁気ストライプ６に記録された情報を読み取るヘッドギャップ２１が存在する。このヘッドギャップ２１の部分が最も突出した部分である。図２の例では、磁気ヘッド２０のライトトラック幅を８ｍｍ程度とした場合を示している。
【００３４】
図２（Ｃ）は、記録媒体８を「位置１」及び「位置３」に位置決めして、磁気ストライプ６に記録されている情報を読み取る場合の磁気ヘッド２０の摩耗状態を示す側面図である。磁気ヘッド２０として、ヘッドギャップ２１の全幅で書き込みを行うと共に、読取部分２０ａのみで情報の読み出しを行う「ワイドライト・ナローリード・ヘッド」を用いて説明するが、本発明はこのタイプの磁気ヘッドに限定するものではない。
【００３５】
この実施形態では、記録媒体８の挿入回数に応じて、磁気ヘッド２０に対する磁気ストライプ６の設定位置を「位置１」、「位置３」の各位置に変更している。なお、「位置１」及び［位置３」の差は２．５ｍｍ程度とした状態を示している。
【００３６】
図２に示すように、磁気ヘッド２０に対する磁気ストライプ６の設定位置を変更することにより、磁気ヘッド２０の凸部分の全幅に磁気ストライプ６が接触するようになるので、磁気ヘッド２０の凸部分の摩耗は、より均一になる。したがって、磁気ヘッド２０の凸部分には極端な段付摩耗か発生しないので、摩耗量Ｍが磁気ヘッド２０の使用可能限界となる摩耗限界に達するまで使用することができる。本発明によれば、従来（図６参照）のような、磁気ヘッドの凸部分に生ずる段付摩耗や偏摩耗を抑制することができるので、磁気ストライプ６とヘッドギャップ２１との間に極端なスペーシング（隙間）が発生せず、安定して磁気データの書き込み／読み取りを行うことができる。
【００３７】
図３は、記録媒体の挿入回数に応じて磁気ヘッドに対する磁気ストライプの設定位置を変更する処理を含む通帳処理のフローチャートの一例である。このフローチャートは、記録媒体８が預金通帳又は貯金通帳である場合の、制御手段９８又は上位の制御手段等が実行する通帳処理を示している。
【００３８】
ステップＳ１０２「ＳＴＡＲＴ」（以降、Ｓ１０２のように省略して記載する。）は、記録媒体８の取扱い時間帯での待機状態である。Ｓ１０４「通帳挿入」では、通帳が挿入された際に挿入センサ３０が記録媒体８（通帳）を検出し、Ｓ１０６「挿入回数を計数」において、計数手段８０により挿入回数がカウントされる。
【００３９】
Ｓ１０８「設定位置判断」では、記録媒体８の挿入回数を示す計数値に応じて記録媒体８の停止位置を変更することによって、磁気ヘッド２０に対する磁気ストライプ６の相対的な設定位置を変更する処理を行う。
【００４０】
例えば、記録媒体８の挿入回数を示す計数値の下２桁が００〜４９の場合には、Ｓ１１０「位置１」に分岐し、記録媒体８の停止位置としてシフトした「位置１」を選択する。また、例えば、計数値の下２桁が５０〜９９の場合には、Ｓ１１４「位置３」に分岐し、記録媒体８の停止位置としてシフトした「位置３」を選択する。
【００４１】
上述のＳ１０６とＳ１０８では、記録媒体８が挿入された回数を計数し、この計数値に基づいて記録媒体８の停止位置を選択する実施形態を説明したが、本発明はこれに限定するものではなく、記録媒体８の挿入毎に停止位置を選択するようにしてもよいし、記録媒体８が挿入された日時、月等の挿入の日時情報に応じて停止位置を選択するようにしてもよい。こうして、同一の設定位置で使用し続けないようにすることにより、本発明の目的を達成することができる。
【００４２】
また、上述の実施例において、挿入回数や挿入の日時情報を乱数テーブル等のデータと比較することにより、ランダム又は擬似ランダムなタイミングで位置を設定してもよい。更に、Ｓ１０８「設定位置判断」自体を乱数テーブル等のデータに基づいて実行してもよい。例えば、通帳挿入毎に、ランダム変数をチェックし、変数が偶数の場合は「位置１」とし、奇数の場合は「位置３」に分岐した位置を選択する。このようにしても、同一の設定位置で磁気ヘッドを使用し続けることはないので、本発明の目的を達成することができる。
【００４３】
Ｓ１１０〜Ｓ１１４では、所定の停止位置情報を送りドライバ８４に出力する処理を行う。送りドライバ８４は、停止位置に応じた駆動信号を送りモータ３４に出力する。例えば、送りモータ３４としてステッピングモータを使用している場合には、送りドライバ８４は搬送距離に応じたパルスを、送りモータ３４に出力する。
【００４４】
記録媒体８の位置決めが完了すると、Ｓ１１５「通帳処理」が開始する。Ｓ１１５の通帳処理は、Ｓ１１６「磁気データ読み込み」、Ｓ１１８「磁気データ処理」、Ｓ１２０「印字処理」、Ｓ１２２「通帳排出処理」からなる。
【００４５】
Ｓ１１６「磁気データ読み込み」では、制御手段９８はヘッドドライバ８２に対して磁気ヘッド２０の駆動信号を出力する。すると、磁気ヘッド２０が磁気ストライプ６の長手方向に摺動して、磁気ヘッド２０は磁気ストライプ６に記録されている情報をヘッドアンプ８８に出力する。ヘッドアンプ８８は、入力した情報を増幅し、イコライジング、フィルタリング等の処理を行った後に制御手段９８又は外部に出力する。
【００４６】
次のＳ１１８「磁気データ処理」では、ヘッドアンプ８８から取得した識別情報等と利用者が入力した暗証番号等とを上位のサーバ（図示せず）に送信して認証を行った後に、金銭の支払い、預け入れ、振り込み等の処理を行う。
【００４７】
次のＳ１２０「印字処理」では、取扱い事項に関する印字を行うために、制御手段９８が記録媒体８を所定の位置に搬送する位置情報を、送りドライバ８４に出力する。記録媒体８の位置決めが完了すると、記帳する文字情報を印字ドライバ８６に出力して必要事項を印字する処理を行う。
【００４８】
次のＳ１２２「通帳排出処理」では、記録媒体８を排出する方向に搬送ローラ１６を回転させる指令を、送りドライバ８４に出力する。すると、処理済の記録媒体８は記録媒体処理装置１０から排出される。排出された記録媒体８を利用者が取り除くと、挿入センサ３０は記録媒体８が取り除かれたことを検出して、計数手段８０に伝達し、制御手段９８が計数手段８０から記録媒体８が取り除かれた旨の情報を取得すると、通帳排出処理を終了してＳ１２４「終了」に進む。なお、このＳ１２４は、新たな通帳の挿入を待つステップであり、上記Ｓ１０２「ＳＴＡＲＴ」と同じステップである。
【００４９】
図４は、磁気ヘッドの摺動回数に応じて磁気ヘッドに対する磁気ストライプの設定位置を変更する処理を含む通帳処理のフローチャートの一例である。このフローチャートも上記同様、記録媒体８が預金通帳又は貯金通帳である場合の、制御手段９８又は上位の制御手段等が実行する通帳処理を示している。なお、図４のフローチャートにおいて、同一符号のステップは図３に示すものと基本的に同じ動作を示すので、以下の説明においては、図３で説明したものとは異なる動作をする箇所についてのみ説明して、重複する記載を省略する。
【００５０】
図４に示すフローチャートにおいては、Ｓ１１５「通帳処理」は、Ｓ１０２「ＳＴＡＲＴ」及びＳ１０４「通帳挿入」に引き続いて行われ、上記同様、Ｓ１１６「磁気データ読み込み」、Ｓ１１８「磁気データ処理」、Ｓ１２０「印字処理」、Ｓ１２２「通帳排出処理」が行われる。
【００５１】
Ｓ１２２「通帳排出処理」で通帳排出処理が終了すると、Ｓ１０５「摺動回数を計数」に進み、ヘッドドライバ８２から取得した駆動信号又はヘッドドライバ８２に出力する駆動信号を制御手段９８が計数して摺動回数がカウントされる。なお、Ｓ１０５は、Ｓ１１８「磁気データ処理」に引き続きＳ１２０〜Ｓ１２２と平行して実行してもよい。
【００５２】
Ｓ１０７「設定回数判断」では、予め設定しておいた摺動回数に到達したか否かを制御手段９８が判断し、設定回数に満たない場合にはＳ１０４［通帳挿入］に戻って次の通帳処理（Ｓ１１５）が行われる。一方、設定回数に到達した場合にはＳ１０８［設定位置判断］に進み、記録媒体８の停止位置を上記設定回数判断毎に、例えば「位置１」→「位置２」→「位置３」→「位置１」→…、の順に変更することによって、磁気ヘッド２０に対する磁気ストライプ６の相対的な設定位置を変更する処理を行う。設定回数は、例えば１０回などのように任意の回数とすることができる。位置変更処理後には、Ｓ１２４「終了」に進み、新たな通帳の挿入を待機する（Ｓ１０２「ＳＴＡＲＴ」と同じ）。
【００５３】
また、上述のＳ１０７「設定回数判断」において、磁気ヘッド２０の設定位置の選択は、摺動回数を乱数テーブル等のデータと比較することにより、ランダム又は擬似ランダムなタイミングで設定してもよい。更に、Ｓ１０８「設定位置判断」自体を乱数テーブル等のデータに基づいて実行し、磁気ヘッド２０の設定位置を選択してもよいことは勿論である。
【００５４】
（第２実施形態）
図５は、本発明の第２実施形態に係る記録媒体処理装置の一例を示す構成図である。この第２実施形態は、記録媒体１０８の搬送方向が、帯状の磁気ストライプ１０６の長手方向と同じ場合の形態である。全体の構成は、上述した第１実施形態に係る記録媒体処理装置と同じであるので、以下においては特徴的な相違点のみを説明し、同じ構成については同じ符号を付してその説明を省略する。
【００５５】
この第２実施形態の記録媒体処理装置１１０では、キャリッジ１４０を複数の位置に変更して、搬送ローラ１６を回転させて磁気ストライプ１０６に記録されている情報を読み取るようにしている。こうすることにより、磁気ヘッド２０の接触面がより均一に摩耗する。したがって、読み取り時や書き込み時のスペーシング（隙間）を減少させることができ、情報の読み取りエラーや書き込みエラーを減少させることができる。また、磁気ヘッド２０をより均一に摩耗させることができるので、段付摩耗が減少し、磁気ヘッド２０の寿命を延ばすことができる。
【００５６】
搬送ローラ１６（磁気ヘッド摺動機構）は、記録媒体１０８と接触して記録媒体１０８を搬送路１１２に沿って搬入・排出のための搬送を行うと共に、磁気ヘッド２０と磁気ストライプ１０６とを相対的に摺動させて磁気データの書き込み／読み出しを行う。また、搬送ローラ１６は、印字処理を行うために、印字手段１２２に対して記録媒体１０８の所定の記入欄を位置決めする。
【００５７】
磁気ヘッド２０は、キャリッジ１４０に取り付けられており、磁気ヘッドの摺動位置設定機構により磁気ストライプ１０６に対する位置を例えば「位置１」、「位置２」、「位置３」の各位置に変更することができる。
【００５８】
磁気ヘッドの摺動位置設定機構は、キャリッジ１４０を磁気ストライプ１０６の長手方向に対して直角方向に案内するガイドバー１４２と、キャリッジ１４０をガイドバー１４２に沿ってシフトさせるシフトアクチュエータ１４６とから構成されている。
【００５９】
ヘッドドライバ８２は、制御手段９８から取得したシフト位置信号に基づいて、シフトアクチュエータ１４６を駆動する信号を出力する。したがって、制御手段９８の指令に基づいて磁気ヘッド２０の設定位置を制御することができる。なお、例えばシフトアクチュエータ１４６として、３ポジションのラッチングソレノイド等を用いることができる。
【００６０】
磁気ヘッド２０の入出力端子は、ヘッドアンプ８８の入出力端子と接続されている。磁気ストライプ６への記録信号は、記録媒体１０８を搬送して磁気ヘッド２０と磁気ストライプ６とを摺動させる際にヘッドアンプ８８の入出力端子から出力される。そして、その記録信号は、磁気ヘッド２０の入出力端子を経由して磁気ヘッド２０に伝達される。これにより、識別情報等の各種情報を磁気ストライプ６に記録することができる。
【００６１】
一方、磁気ストライプ６に記録されている識別情報等の情報は、制御手段９８により記録媒体１０８が搬送路１２に沿って搬送される際に磁気ヘッド２０により読み込まれる。そして、その記録情報は、磁気ヘッド２０の入出力端子を経由してヘッドアンプ８８に伝達される。ヘッドアンプ８８はその情報を増幅し、イコライジング、フィルタリング等の処理を行った後に制御手段９８又は外部に出力することができる。
【００６２】
図５に示した記録媒体処理装置１１０において、磁気ストライプ１０６に対する磁気ヘッド２０の設定位置を変更する処理を、前述の図３のフローチャートを用いて説明する。なお、Ｓ１０２〜Ｓ１０６の処理については、第１実施形態にて説明した処理と同一であるので説明を省略する。
【００６３】
Ｓ１０８「設定位置判断」では、計数値の値に応じて磁気ヘッド２０をシフトすることによって、磁気ストライプ１０６に対する磁気ヘッド２０の設定位置を変更する処理を行う。
【００６４】
例えば、記録媒体１０８の挿入回数を示す計数値の下２桁が００〜４９の場合にはＳ１１０「位置１」に分岐し、磁気ヘッド２０の設定位置として「位置１」を選択する。また、例えば、計数値の下２桁が５０〜９９の場合には、Ｓ１１４「位置３」に分岐し、磁気ヘッド２０の設定位置として「位置３」を選択する。また、例えば、磁気データを磁気ストライプ６に書き込む場合には、Ｓ１１２「位置２」に分岐し、磁気ヘッド２０の設定位置として中央の「位置２」を選択する。
【００６５】
この第２の実施形態においても、磁気ヘッド２０の設定位置の選択は、記録媒体１０８が挿入された回数に基づくものに限定するものではなく、記録媒体１０８が挿入された日時、月等の挿入の日時情報に応じて停止位置を選択するようにして、同一の設定位置で使用し続けないようにしても本発明の目的を達成することができる。また、乱数テーブル等のデータを用いて、ランダム又は擬似ランダムに磁気ヘッド２０の設定位置を選択してもよい。
【００６６】
Ｓ１１０〜Ｓ１１４では、所定の設定位置情報をヘッドドライバ８２に出力する。ヘッドドライバ８２は、制御手段９８の指令に基づいて磁気ヘッド２０の位置を制御する駆動信号をシフトアクチュエータ１４６に出力して、磁気ヘッド２０を所定の位置に位置決めする。
【００６７】
Ｓ１１６「磁気データ読み込み」では、制御手段９８は送りドライバ８４に対して記録媒体１０８を搬入する搬送信号を出力する。すると、送りモータ３４が回転して搬送ローラ１６を回転させ、記録媒体１０８が搬入される。すると、磁気ストライプ１０６は磁気ヘッド２０に接触した状態で相対的に摺動するので、磁気ヘッド２０は磁気ストライプ１０６に記録されている情報を読み出してヘッドアンプ８８に出力する。ヘッドアンプ８８は、入力した情報を増幅し、イコライジング、フィルタリング等の処理を行った後に制御手段９８又は外部に出力する。
【００６８】
以降のＳ１１８〜Ｓ１２４の処理については、第１実施形態にて説明した処理と同一であるので説明を省略する。
【００６９】
この第２実施形態は、図４に示すような、磁気ヘッドの摺動回数に応じて磁気ヘッドに対する磁気ストライプの設定位置を変更する処理も同様に適用できる。なお、以下においては、第１実施形態にて説明した処理と異なる処理についてのみ説明する。
【００７０】
図４のＳ１１６「磁気データ読み込み」では、制御手段９８は送りドライバ８４に対して記録媒体１０８を搬入する搬送信号を出力する。すると、送りモータ３４が回転して搬送ローラ１６を回転させ、記録媒体１０８が搬入される。すると、磁気ストライプ１０６は磁気ヘッド２０に接触した状態で相対的に摺動するので、磁気ヘッド２０は磁気ストライプ１０６に記録されている情報を読み出してヘッドアンプ８８に出力する。ヘッドアンプ８８は、入力した情報を増幅し、イコライジング、フィルタリング等の処理を行った後に制御手段９８又は外部に出力する。
【００７１】
Ｓ１０８「設定位置判断」では、計数値の値に応じて磁気ヘッド２０をシフトすることによって、磁気ストライプ１０６に対する磁気ヘッド２０の設定位置を変更する処理を行う。磁気ヘッド２０の停止位置を上記設定回数判断毎に、例えば「位置１」→「位置２」→「位置３」→「位置１」→…、の順に変更することによって、磁気ヘッド２０に対する磁気ストライプ６の相対的な設定位置を変更する処理を行う。
【００７２】
Ｓ１１０〜Ｓ１１４では、所定の設定位置情報をヘッドドライバ８２に出力する。ヘッドドライバ８２は、制御手段９８の指令に基づいて磁気ヘッド２０の位置を制御する駆動信号をシフトアクチュエータ１４６に出力して、磁気ヘッド２０を所定の位置に位置決めする。
【００７３】
位置変更処理後には、Ｓ１２４「終了」に進み、新たな通帳の挿入を待機する（Ｓ１０２「ＳＴＡＲＴ」と同じ）。
【００７４】
以上説明したように、本発明によれば、磁気ストライプ１０６に対する磁気ヘッド２０の設定位置を変更して磁気データの読取を行うので、磁気ヘッド２０の接触面の摩耗をより均一にすることができる。
【図面の簡単な説明】
【００７５】
【図１】本発明に係る記録媒体処理装置の第１実施形態を示す構成図である。
【図２】記録媒体を「位置１」及び「位置３」に位置決めして、磁気ストライプに記録されている情報を読み取る場合の磁気ヘッドの摩耗状態を示す図である。
【図３】記録媒体の挿入回数に応じて磁気ヘッドに対する磁気ストライプの設定位置を変更する処理を含む通帳処理のフローチャートの一例である。
【図４】磁気ヘッドの摺動回数に応じて磁気ヘッドに対する磁気ストライプの設定位置を変更する処理を含む通帳処理のフローチャートの一例である。
【図５】本発明に係る記録媒体処理装置の第２実施形態を示す構成図である。
【図６】従来の磁気ヘッドの摩耗状態を示す図である。
【符号の説明】
【００７６】
６，１０６  磁気ストライプ
８，１０８  記録媒体
１０，１１０  記録媒体処理装置
１４  記録媒体取入口
１２  搬送路
１６  搬送ローラ
１８  フォトセンサ
２０，２２０  磁気ヘッド
２０ａ，２２０ａ  読取部分
２１，２２１  ヘッドギャップ
２２  印字手段
３０  挿入センサ
３４  送りモータ
４０，１４０  キャリッジ
４２，１４２  ガイドバー
４４  送りねじ
４６  磁気ヘッド駆動モータ
８０  計数手段
８２  ヘッドドライバ
８４  送りドライバ
８６  印字ドライバ
８８  ヘッドアンプ
９８  制御手段
１４６  シフトアクチュエータ
２１９  偏摩耗
Ｍ  摩耗量
Ｔ  磁気ストライプの厚さ
【図１】
0004710063.tif 000002
【図２】
0004710063.tif 000003
【図３】
0004710063.tif 000004
【図４】
0004710063.tif 000005
【図５】
0004710063.tif 000006
【図６】
0004710063.tif 000007